(57)【要約】【課題】  ファクス送信やインターネットファクス送信の都度の煩雑な操作を省略できる通信装置を提供する。【解決手段】  送信ジョブデータベースと、送信ジョブパターンの呼出命令を外部装置３１から受信する呼出命令受信手段と、記憶された全ての送信ジョブ名４３を外部装置３１へ送信する名称送信手段と、送信ジョブ名４３を外部装置３１から受信する名称受信手段と、送信ジョブデータベースを検索し、受信された送信ジョブ名４３に対応する送信ジョブパターンを抽出する抽出手段と、抽出された送信ジョブパターンを外部装置３１へ送信するパターン送信手段と、送信された送信ジョブパターン又はその修正後の送信ジョブパターンを外部装置３１から受信するパターン受信手段と、送信ジョブの実行命令を外部装置３１から受信する実行命令受信手段と、受信された送信ジョブパターンで送信ジョブを実行する実行手段と、を備えた。【選択図】      図４
2007053669.tif 000002
【特許請求の範囲】
【請求項１】
ファクス送信又はインターネットファクス送信の送信ジョブ名と送信ジョブパターンとを対応付けて記憶する送信ジョブデータベースと、
送信ジョブパターンの呼出命令を外部装置から受信する呼出命令受信手段と、
この呼出命令受信手段により送信ジョブパターンの呼出命令が受信された場合に、前記送信ジョブデータベースにより記憶された全ての送信ジョブ名を外部装置へ送信する名称送信手段と、
送信ジョブ名を外部装置から受信する名称受信手段と、
この名称受信手段により送信ジョブ名が受信された場合に、前記送信ジョブデータベースを検索し、受信された送信ジョブ名に対応する送信ジョブパターンを抽出する抽出手段と、
この抽出手段により抽出された送信ジョブパターンを外部装置へ送信するパターン送信手段と、
このパターン送信手段により送信された送信ジョブパターン又はその修正後の送信ジョブパターンを外部装置から受信するパターン受信手段と、
送信ジョブの実行命令を外部装置から受信する実行命令受信手段と、
この実行命令受信手段により送信ジョブの実行命令が受信された場合に、前記パターン受信手段により受信された送信ジョブパターンで送信ジョブを実行する実行手段と、
を備えたことを特徴とする通信装置。
【請求項２】
送信ジョブ名のテンプレートを記憶する記憶手段と、
送信ジョブ名のテンプレートの呼出命令を外部装置から受信するテンプレート呼出命令受信手段と、
このテンプレート呼出命令受信手段により送信ジョブ名のテンプレートの呼出命令が受信された場合に、前記記憶手段により記憶された送信ジョブ名のテンプレートを外部装置へ送信するテンプレート送信手段と、
このテンプレート送信手段により送信されたテンプレートと同一の又はそれを修正した後の送信ジョブ名を外部装置から受信する新規名称受信手段と、
この新規名称受信手段により受信された送信ジョブ名と前記パターン受信手段により受信された送信ジョブパターンとを対応付けて前記送信ジョブデータベースに格納する格納手段と、
を備えたことを特徴とする請求項１記載の通信装置。
【請求項３】
送信ジョブ名のテンプレートを記憶する記憶手段と、
送信ジョブの実行後の送信ジョブパターン又はその修正後の送信ジョブパターンを外部装置から受信する履歴パターン受信手段と、
送信ジョブ名のテンプレートの呼出命令を外部装置から受信するテンプレート呼出命令受信手段と、
このテンプレート呼出命令受信手段により送信ジョブ名のテンプレートの呼出命令が受信された場合に、前記記憶手段により記憶された送信ジョブ名のテンプレートを外部装置へ送信するテンプレート送信手段と、
このテンプレート送信手段により送信されたテンプレートと同一の又はそれを修正した後の送信ジョブ名を外部装置から受信する新規名称受信手段と、
前記新規名称受信手段により受信された送信ジョブ名と前記履歴パターン受信手段により受信された送信ジョブパターンとを対応付けて前記送信ジョブデータベースに格納する格納手段と、
を備えたことを特徴とする請求項１記載の通信装置。
【発明の詳細な説明】
【技術分野】
【０００１】
本発明は、ファクス通信機能又はインターネットファクス通信機能を有する通信装置に関するものである。
【背景技術】
【０００２】
周知のように、ネットワークスキャン機能、並びに、ファクス通信機能又はインターネットファクス通信機能を有する通信装置においては、読取部により読み取られて外部装置へ送信された画像データについて、外部装置の操作部の操作によりファクス送信又はインターネットファクス送信をすることができるものがある（例えば、特許文献１参照。）。
【特許文献１】特開２００５−１８４６７３号公報
【発明の開示】
【発明が解決しようとする課題】
【０００３】
しかしながら、上記のような通信装置では、外部装置の操作部の操作により相手先名、電子メール本文のテンプレート名、ファクス送信時の送付案内書のテンプレート名、件名、コメント等の入力をファクス送信やインターネットファクス送信の度に行う必要があるという問題点がある。
【０００４】
本発明は、以上のような問題点に鑑みてなされたものであり、ファクス送信やインターネットファクス送信の都度の煩雑な操作を省略できる通信装置を提供することを目的とする。
【課題を解決するための手段】
【０００５】
上記目的を達成するための請求項１の発明は、ファクス送信又はインターネットファクス送信の送信ジョブ名と送信ジョブパターンとを対応付けて記憶する送信ジョブデータベースと、送信ジョブパターンの呼出命令を外部装置から受信する呼出命令受信手段と、この呼出命令受信手段により送信ジョブパターンの呼出命令が受信された場合に、前記送信ジョブデータベースにより記憶された全ての送信ジョブ名を外部装置へ送信する名称送信手段と、送信ジョブ名を外部装置から受信する名称受信手段と、この名称受信手段により送信ジョブ名が受信された場合に、前記送信ジョブデータベースを検索し、受信された送信ジョブ名に対応する送信ジョブパターンを抽出する抽出手段と、この抽出手段により抽出された送信ジョブパターンを外部装置へ送信するパターン送信手段と、このパターン送信手段により送信された送信ジョブパターン又はその修正後の送信ジョブパターンを外部装置から受信するパターン受信手段と、送信ジョブの実行命令を外部装置から受信する実行命令受信手段と、この実行命令受信手段により送信ジョブの実行命令が受信された場合に、前記パターン受信手段により受信された送信ジョブパターンで送信ジョブを実行する実行手段と、を備えたものである。
【０００６】
請求項２の発明は、送信ジョブ名のテンプレートを記憶する記憶手段と、送信ジョブ名のテンプレートの呼出命令を外部装置から受信するテンプレート呼出命令受信手段と、このテンプレート呼出命令受信手段により送信ジョブ名のテンプレートの呼出命令が受信された場合に、前記記憶手段により記憶された送信ジョブ名のテンプレートを外部装置へ送信するテンプレート送信手段と、このテンプレート送信手段により送信されたテンプレートと同一の又はそれを修正した後の送信ジョブ名を外部装置から受信する新規名称受信手段と、この新規名称受信手段により受信された送信ジョブ名と前記パターン受信手段により受信された送信ジョブパターンとを対応付けて前記送信ジョブデータベースに格納する格納手段と、を備えたものである。
【０００７】
請求項３の発明は、送信ジョブ名のテンプレートを記憶する記憶手段と、送信ジョブの実行後の送信ジョブパターン又はその修正後の送信ジョブパターンを外部装置から受信する履歴パターン受信手段と、送信ジョブ名のテンプレートの呼出命令を外部装置から受信するテンプレート呼出命令受信手段と、このテンプレート呼出命令受信手段により送信ジョブ名のテンプレートの呼出命令が受信された場合に、前記記憶手段により記憶された送信ジョブ名のテンプレートを外部装置へ送信するテンプレート送信手段と、このテンプレート送信手段により送信されたテンプレートと同一の又はそれを修正した後の送信ジョブ名を外部装置から受信する新規名称受信手段と、前記新規名称受信手段により受信された送信ジョブ名と前記履歴パターン受信手段により受信された送信ジョブパターンとを対応付けて前記送信ジョブデータベースに格納する格納手段と、を備えたものである。
【発明の効果】
【０００８】
請求項１の発明によれば、複数の送信ジョブパターンが登録されているので、ファクス送信やインターネットファクス送信の都度の煩雑な操作を省略することができる。
【０００９】
請求項２の発明によれば、登録された送信ジョブパターンを利用して新たな送信ジョブパターンを外部装置から簡単に登録することができる。
【００１０】
請求項３の発明によれば、送信ジョブの実行後の送信ジョブパターンを利用して新たな送信ジョブパターンを外部装置から簡単に登録することができる。
【発明を実施するための最良の形態】
【００１１】
以下、本発明の実施形態を図面に基づいて説明する。
本実施形態に係る通信装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、ＬＡＮ（local area network、構内ネットワーク）インターフェース（ＬＡＮ Ｉ／Ｆ）９、ＵＳＢ（universal serial bus）インターフェース（ＵＳＢ Ｉ／Ｆ）１０、記録部１１、読取部１２、操作部１３、及び表示部１４を備えたものであり、各構成要素はバス１５を介して互いに通信可能に接続されている。
【００１２】
フラッシュメモリ３は、各構成要素の動作を制御するための制御プログラムの他、図２のような送信ジョブデータベース、図３のような相手先データベース（アドレスブック）、後述の送信ジョブ名のテンプレート等を記憶している。このような制御プログラム、送信ジョブデータベース、相手先データベース、及び送信ジョブ名のテンプレート等は、フラッシュメモリ３の他、ＨＤＤ（ハードディスクドライブ）等の適宜の記憶手段に格納してもよい。
【００１３】
送信ジョブデータベースは、図２に示すように、ファクス（ＦＡＸ）送信又はインターネットファクス（インターネットＦＡＸ）送信の送信ジョブ名と送信ジョブパターンとを対応付けて記憶している。送信ジョブパターンの設定項目としては、ファクス送信の相手先名、電子メール送信（インターネットファクス送信）の相手先名、電子メール送信の相手先の指定方法、電子メール本文のテンプレート名、文書分類、電子メール送信時の添付ファイル形式、ファクス送信時の送付案内書のテンプレート名、件名、コメント、応用通信設定情報、コピー配布のＯＮ／ＯＦＦ、コピーの配布先、履歴消去のＯＮ／ＯＦＦ、優先度等が挙げられる。応用通信設定情報の設定項目としては、Ｆコード通信〔ＩＴＵ−Ｔ（国際電気通信連合−電気通信標準化部門）の規格に従ったサブアドレスやパスワードを利用して通信する機能〕時のサブアドレス及びパスワード、時刻指定送信のＯＮ／ＯＦＦ、時刻指定送信時の送信開始時刻等が挙げられる。
【００１４】
相手先データベースは、図３に示すように、相手先名と相手先情報とを対応付けて記憶している。相手先情報の設定項目としては、会社名、部署名、ファクス番号、電子メールアドレス等が挙げられる。
【００１５】
制御部２は、ＣＰＵ（central processing unit、中央処理装置）等で構成されており、図１に示すフラッシュメモリ３上の制御プログラム等に従って各構成要素の動作を制御する。ＲＡＭ４は、通信装置１に関する各種の情報を一時的に記憶する。
【００１６】
ＬＡＮインターフェース９は、図１に示すように、ＬＡＮ２１及びインターネット２２に接続されている。ＬＡＮ２１はインターネット２２に接続されており、このＬＡＮ２１には外部装置３１が接続されている。
【００１７】
外部装置３１は、主な構成要素として、いずれも図示しない制御部、フラッシュメモリ、ＲＡＭ、ＨＤＤ、ＬＡＮインターフェース、ＵＳＢインターフェース、操作部、及び表示部を備えたものであり、各構成要素は図示しないバスを介して互いに通信可能に接続されている。この外部装置３１の制御部は、フラッシュメモリやＨＤＤ等の記憶手段に記憶された制御プログラム等に従って外部装置３１の各構成要素の動作を制御する。このように構成された外部装置３１は、ＬＡＮ２１を介して通信装置１にアクセスできるが、インターネット２２等の各種のネットワークや、ＵＳＢインターフェース１０等の各種のインターフェース等を介して通信装置１にアクセスできるように構成してもよい。外部装置３１としては、パーソナルコンピュータ（ＰＣ）、ＰＤＡ（personal digital assistant、携帯情報端末）等が挙げられる。
【００１８】
読取部１２は、原稿の画像を画像データとして読み取る。画像メモリ５は、読み取られた画像データを一時的に記憶する。記録部１１は、記憶された画像データ等を電子写真方式等により記録用紙に記録（印刷）する。
【００１９】
表示部１４は、操作部１３等に併設されたＬＣＤ（liquid crystal display、液晶ディスプレイ）等で構成されており、各種の情報を表示する。操作部１３は、各種の操作をするための操作キー等を備えている。
【００２０】
コーデック６は、ファクス送信時に、読み取られた画像データをＭＨ（modified huffman）方式、ＭＲ（modified read）方式、ＭＭＲ（modified modified read）方式等により符号化する一方、ファクス受信時に、受信した画像データを復号化する。また、コーデックは、インターネットファクス送信時に、読み取られた画像データを電子メールのＴＩＦＦ（tagged image file format）形式、ＰＤＦ（portable document format）形式等の添付ファイルに変換する一方、インターネットファクス受信時に、受信した電子メールの添付ファイルを画像データに復元する。
【００２１】
モデム７は、例えばＩＴＵ−Ｔの勧告Ｖ．３４規格又はこれと同様のものに従った送信データの変調及び受信データの復調を行う。ＮＣＵ８は、ＰＳＴＮ（public switched telephone network、公衆電話交換網）２３に接続されており、電話回線を制御して電話をかけたり切ったりする。
【００２２】
上記のように構成された通信装置１は、ネットワークスキャナ、ファクス通信機、インターネットファクス通信機の他、コピー機、ネットワークプリンタ等として機能する複合機である。ファクス通信やインターネットファクス通信は、外部装置３１からも行うことができる。そのため、通信装置１は、読取部１２により読み取られた画像データを外部装置３１へ送信することができると共に、外部装置３１から受信した適宜の送信ジョブパターンでファクス送信やインターネットファクス送信の送信ジョブを実行することができる。なお、通信装置１は、少なくともファクス通信機又はインターネットファクス通信機として機能するものであればよい。
【００２３】
次に、送信ジョブの実行処理の一例を図４に示すフローチャートに基づいて説明する。なお、この実行処理は、フラッシュメモリ３上の制御プログラム等に基づいて制御部２が発行する命令に従って行われる。
【００２４】
この実行処理において、送信ジョブパターンの呼出命令を外部装置３１から受信すれば（ステップＳ１）、図２のような送信ジョブデータベースにより記憶された全ての送信ジョブ名（「見積もり書１」、「見積もり書２」等）が外部装置３１へ送信される（ステップＳ２）。
【００２５】
ここで、あらかじめ読取部１２により読み取られた画像データ及びそのスキャン情報は、外部装置３１へ送信されて、外部装置３１のＨＤＤ等の記憶手段に格納されている。スキャン情報としては、画像データのファイル名、文書分類、ページ数、スキャン日時等が挙げられる。
【００２６】
格納されたスキャン情報４１は、図５に示すように、外部装置３１の操作部の操作により外部装置３１の表示部に一覧表示される。送信ジョブパターンの呼出命令は、外部装置３１の操作部の操作（図５のようなスキャン情報４１と共に外部装置３１の表示部に表示される送信ボタン４２のクリック等）により外部装置３１から通信装置１へ送信される。この場合、外部装置３１の操作部の操作により選択されたスキャン情報４１（ファイル名が「20050325125746」であるスキャン情報等）も、外部装置３１から通信装置１へ送信される。
【００２７】
一方、図６に示すように、通信装置１から外部装置３１へ送信された送信ジョブ名４３は、外部装置３１の表示部に一覧表示される。この場合、送信ジョブ名４３と共に、フラッシュメモリ３等の記憶手段に記憶された、送信ジョブ名４３の選択を求めるメッセージ４４（「送信ジョブ名を選択して下さい」等）等を表示してもよい。
【００２８】
そして、一覧表示された送信ジョブ名４３の中から外部装置３１の操作部の操作により選択された送信ジョブ名４３（「見積もり書１」等）を外部装置３１から受信すれば（ステップＳ３）、送信ジョブデータベースが検索され、受信した送信ジョブ名４３に対応する送信ジョブパターンが抽出される（ステップＳ４）。
【００２９】
抽出された送信ジョブパターンは、外部装置３１へ送信される（ステップＳ５）。送信された送信ジョブパターンは、図７に示すように、外部装置３１の表示部に表示され、必要に応じて外部装置３１の操作部の操作により修正される。この場合、送信ジョブパターンと共に、外部装置３１から受信した送信ジョブ名４３やスキャン情報４１等を表示してもよい。
【００３０】
次いで、送信された送信ジョブパターン又はその修正後の送信ジョブパターンを外部装置３１から受信し（ステップＳ６）、送信ジョブの実行命令を外部装置３１から受信すれば（ステップＳ７）、受信した送信ジョブパターンで送信ジョブが実行され（ステップＳ８）、処理が終了する。
【００３１】
送信ジョブパターン、及び送信ジョブの実行命令は、外部装置３１の操作部の操作（図７のような送信ジョブパターンと共に表示される送信ボタン４５のクリック等）により外部装置３１から通信装置１へ送信される。送信ジョブの実行命令には、外部装置３１から受信したスキャン情報４１中の送信すべき画像データのファイル名（「20050325125746」等）、相手先のファクス番号又は電子メールアドレス等が含まれている。相手先のファクス番号又は電子メールアドレスは、図３のような相手先データベースを検索し、送信ジョブパターン中の相手先名（「ＡＢＣＤ株式会社」等）に対応するものを抽出することにより決定される。なお、ステップＳ６とステップＳ７とは、順序が逆になってもよい。
【００３２】
ここで、ファクス送信済みやインターネットファクス送信済みの画像データ及びその送信情報を外部装置３１の記憶手段に格納しておき、図８に示すように、格納された送信情報５１が外部装置３１の操作部の操作により外部装置３１の表示部に一覧表示され、既述の読取部１２により読み取られた画像データと同様、ファクス送信済みやインターネットファクス送信済みの画像データについて、更に外部装置３１からファクス送信又はインターネットファクス送信をすることができるように構成してもよい。送信情報５１としては、相手先名、送信結果、文書分類、ページ数、送信日時、画像データのファイル名、原稿サイズ、解像度、画像データのファイルサイズ等が挙げられる。
【００３３】
この場合、送信ジョブパターンの呼出命令は、外部装置３１の操作部の操作（図８のような送信情報５１と共に外部装置３１の表示部に表示される送信ボタン５２のクリック等）により外部装置３１から通信装置１へ送信される。また、外部装置３１の操作部の操作により選択された送信情報５１（相手先名が「ＸＸＸＸ株式会社」である送信情報等）も、外部装置３１から通信装置１へ送信される。
【００３４】
そして、通信装置１から外部装置３１へ送信ジョブ名４３が送信されれば、図６に示すように、送信された送信ジョブ名４３が外部装置３１の表示部に一覧表示される。その後の処理は、既述と同様である。但し、その後の処理における送信ジョブの実行命令には、外部装置３１から受信した送信情報５１中の送信すべき画像データのファイル名、相手先のファクス番号又は電子メールアドレス等が含まれている。
【００３５】
上記のように構成された通信装置１によれば、複数の送信ジョブパターンが登録されているので、ファクス送信やインターネットファクス送信の都度の煩雑な操作を省略できるという利点がある。
【００３６】
次に、送信ジョブパターンの登録処理の一例を図９に示すフローチャートに基づいて説明する。なお、この登録処理のうち、通信装置１における処理は、フラッシュメモリ３上の制御プログラム等に基づいて制御部２が発行する命令に従って行われる。外部装置３１における処理は、外部装置３１の記憶手段上の制御プログラム等に基づいて外部装置３１の制御部が発行する命令に従って行われる。
【００３７】
この登録処理において、図７のように通信装置１から外部装置３１へ送信された送信ジョブパターン又はその修正後の送信ジョブパターンを外部装置３１から受信し（ステップＳ１１）、送信ジョブ名のテンプレートの呼出命令を外部装置３１から受信すれば（ステップＳ１２）、フラッシュメモリ３に記憶された送信ジョブ名のテンプレートが外部装置３１へ送信される（ステップＳ１３）。
【００３８】
送信ジョブパターン、及び送信ジョブ名のテンプレートの呼出命令は、外部装置３１の操作部の操作（図７のような送信ジョブパターンと共に表示される登録ボタン５３のクリック等）により外部装置３１から通信装置１へ送信される。なお、ステップＳ１１とステップＳ１２とは、順序が逆になってもよい。
【００３９】
一方、通信装置１から外部装置３１へ送信された送信ジョブ名のテンプレートは、図１０に示すように、外部装置３１の表示部に表示され、必要に応じて外部装置３１の操作部の操作により修正される。送信ジョブ名のテンプレートにおいては、送信ジョブ名６１の他に送信ジョブの説明６２等を修正できるようにしてもよいし、図１０の例のように送信ジョブ名６１や送信ジョブの説明６２等を空白にしておいて新たな情報を外部装置３１の操作部で入力することにより修正してもよい。
【００４０】
そして、送信されたテンプレートと同一の又はそれを修正した後の送信ジョブ名６１を外部装置３１から受信すれば（ステップＳ１４）、受信した送信ジョブ名６１と受信した送信ジョブパターンとが対応付けて送信ジョブデータベースに格納され（ステップＳ１５）、処理が終了する。
【００４１】
送信ジョブ名６１等は、外部装置３１の操作部の操作（図１０のようなテンプレート上の登録ボタン６３のクリック等）により外部装置３１から通信装置１へ送信される。
【００４２】
このような通信装置１によれば、登録された送信ジョブパターンを利用して新たな送信ジョブパターンを外部装置３１から簡単に登録できるという利点がある。
【００４３】
次に、送信ジョブパターンの登録処理の他例を図１１に示すフローチャートに基づいて説明する。なお、この登録処理のうち、通信装置１における処理は、フラッシュメモリ３上の制御プログラム等に基づいて制御部２が発行する命令に従って行われる。外部装置３１における処理は、外部装置３１の記憶手段上の制御プログラム等に基づいて外部装置３１の制御部が発行する命令に従って行われる。
【００４４】
この登録処理において、図１２のように通信装置１から外部装置３１へ送信された、送信ジョブの実行後の送信ジョブパターン又はその修正後の送信ジョブパターンを外部装置３１から受信し（ステップＳ２１）、送信ジョブ名のテンプレートの呼出命令を外部装置３１から受信すれば（ステップＳ２２）、フラッシュメモリ３に記憶された送信ジョブ名のテンプレートが外部装置３１へ送信される（ステップＳ２３）。
【００４５】
送信ジョブパターン、及び送信ジョブ名のテンプレートの呼出命令は、外部装置３１の操作部の操作（図１２のような送信ジョブの実行後の送信ジョブパターンと共に表示される登録ボタン７１のクリック等）により外部装置３１から通信装置１へ送信される。なお、ステップＳ２１とステップＳ２２とは、順序が逆になってもよい。
【００４６】
一方、通信装置１から外部装置３１へ送信された送信ジョブ名のテンプレートは、図１０に示すように、外部装置３１の表示部に表示され、必要に応じて外部装置３１の操作部の操作により修正される。
【００４７】
そして、送信されたテンプレートと同一の又はそれを修正した後の送信ジョブ名６１を外部装置３１から受信すれば（ステップＳ２４）、受信した送信ジョブ名６１と受信した送信ジョブパターンとが対応付けて送信ジョブデータベースに格納され（ステップＳ２５）、処理が終了する。
【００４８】
この場合、送信ジョブの実行後の送信ジョブパターンは、ファクス送信済みやインターネットファクス送信済みの画像データ及びその送信情報５１と共に外部装置３１の記憶手段に格納しておき、外部装置３１の操作部の操作（図８のような送信情報５１と共に外部装置３１の表示部に表示される詳細表示ボタン７２のクリック等）により外部装置３１の表示部に表示されるように構成しておけばよい。また、送信ジョブの実行後の送信ジョブパターンと共に、外部装置３１の記憶手段に記憶された送信ジョブ名４３や送信情報５１等を表示してもよい。
【００４９】
このような通信装置１によれば、送信ジョブの実行後の送信ジョブパターンを利用して新たな送信ジョブパターンを外部装置３１から簡単に登録できるという利点がある。
【産業上の利用可能性】
【００５０】
以上のように、本発明に係る通信装置は、ファクス送信やインターネットファクス送信の都度の煩雑な操作を省略するのに適している。
【図面の簡単な説明】
【００５１】
【図１】実施形態に係る通信装置の構成例を示すブロック図。
【図２】送信ジョブデータベースの構成例を示すデータテーブル。
【図３】相手先データベースの構成例を示すデータテーブル。
【図４】送信ジョブの実行処理の一例を示すフローチャート。
【図５】スキャン情報を外部装置の表示部に一覧表示した画面例を示す説明図。
【図６】送信ジョブ名を外部装置の表示部に一覧表示した画面例を示す説明図。
【図７】送信ジョブパターンを外部装置の表示部に表示した画面例を示す説明図。
【図８】送信情報を外部装置の表示部に一覧表示した画面例を示す説明図。
【図９】送信ジョブパターンの登録処理の一例を示すフローチャート。
【図１０】送信ジョブ名のテンプレートを外部装置の表示部に表示した画面例を示す説明図。
【図１１】送信ジョブパターンの登録処理の他例を示すフローチャート。
【図１２】送信ジョブの実行後の送信ジョブパターンを外部装置の表示部に表示した画面例を示す説明図。
【符号の説明】
【００５２】
１  通信装置
２  制御部
３  フラッシュメモリ
４  ＲＡＭ
５  画像メモリ
６  コーデック
７  モデム
８  ＮＣＵ
９  ＬＡＮインターフェース
１０  ＵＳＢインターフェース
２１  ＬＡＮ
２２  インターネット
２３  ＰＳＴＮ
３１  外部装置
４３、６１  送信ジョブ名
【図１】
2007053669.tif 000003
【図２】
2007053669.tif 000004
【図３】
2007053669.tif 000005
【図４】
2007053669.tif 000006
【図５】
2007053669.tif 000007
【図６】
2007053669.tif 000008
【図７】
2007053669.tif 000009
【図８】
2007053669.tif 000010
【図９】
2007053669.tif 000011
【図１０】
2007053669.tif 000012
【図１１】
2007053669.tif 000013
【図１２】
2007053669.tif 000014